(57)【要約】【課題】  ほぼ完璧な封印機能を発揮する封印ネジを提供することである。【解決手段】  ネジ部１を有する回転部材２の外周に回転操作部材４を設け、この回転操作部材４は上記回転部材２の外周ほぼ全域を覆う円筒部４ａとこの円筒部４ａの一方の開口をふさぐ覆い部４ｂを有する。そして、上記回転部材２と回転操作部材４との間には、上記ネジ部を締め付ける方向にはそれら回転部材２と回転操作部材４とを一体回転させ、上記ネジ部１を緩める方向にはそれら回転部材２と回転操作部材４とを相対回転させる回転伝達機構を設けている。【選択図】  図１
2010078145.tif 000002
【特許請求の範囲】
【請求項１】
ネジ部を有する回転部材の内周または外周に、円筒部とこの円筒部の一方の開口をふさぐ覆い部とを有する回転操作部材を設け、この回転操作部材で、上記回転部材の外周および上方を覆う一方、回転部材と回転操作部材との間に、上記ネジ部を締め付ける方向にはそれら回転部材と回転操作部材とを一体回転させ、上記ネジ部を緩める方向にはそれら回転部材と回転操作部材とを相対回転させる回転伝達機構を設けた封印用ネジ。
【請求項２】
上記回転伝達機構は上記回転部材と回転操作部材との間に介在させたコイルスプリングからなり、このコイルスプリングの一端を上記回転部材あるいは回転操作部材のいずれか一方に止め、上記ネジ部を締め付ける方向に回転操作部材を回転させたときコイルスプリングのコイル径を縮径もしくは拡径して、コイルスプリングの内周もしくは外周を回転部材または回転操作部材に圧接し、これら回転部材と回転操作部材とを一体回転させる一方、上記回転操作部材を、上記ネジ部を緩める方向に回転させたとき、上記コイルスプリングの圧接力を小さくして、回転部材と回転操作部材とが相対回転する構成にした請求項１記載の封印用ネジ。
【請求項３】
上記ネジ部を締め付け対象にネジ結合させるとともに、ネジ部を締め付ける方向に回転操作部材を回転してネジ結合の締め付け力が、予め定めた設定値に達したとき、回転部材と回転操作部材とが、上記スプリングの圧接力に抗して相対回転する構成にした請求項２記載の封印用ネジ。
【請求項４】
上記雄ネジ部にシャフトからなる回転部材を同一軸線上に設け、この回転部材の周囲に、当該回転部材の外径よりもわずかに小さいコイル径を有するコイルスプリングを設け、このコイルスプリングを設けた回転部材を、上記回転操作部材で覆うとともに、上記コイルスプリングの一端を回転操作部材の内面に止めた請求項２または３に記載の封印用ネジ。
【請求項５】
上記回転伝達機構は、上記回転部材の外周と上記回転操作部材の円筒部内面との間に形成した空間に回転体を介在させてなり、この回転体を介在させるための空間は、上記ネジ部を締め付ける回転方向に向かって幅広部から幅狭部に変化する構成にするとともに、最大幅広部は上記回転体の直径よりも大きくし、最小幅狭部は上記回転体の直径よりも小さくした請求項１記載の封印用ネジ。
【請求項６】
上記回転伝達機構は、上記最小幅狭部よりも、上記ネジ部の締め付け方向前方部位における回転操作部材の円筒部内周あるいは回転部材の外周のいずれか一方もしくは双方に段部を形成し、この段部を境にして上記ネジ部の締め付け方向前方部位に、回転体の直径よりも大きな空間からなる拡幅部を形成した請求項５記載の封印用ネジ。
【請求項７】
上記回転部材の外周と回転操作部材の内周とのそれぞれに抜止め用突部を設け、こられ抜止め用突部が、直接または間接的に引っ掛かり合い、回転操作部材が抜けて回転部材が露出するのを防止する構成にした請求項１〜６のいずれかに記載の封印用ネジ。
【発明の詳細な説明】
【技術分野】
【０００１】
この発明は、一度締め付けたら外すことができない封印ネジに関する。
【背景技術】
【０００２】
例えば、プログラムを記憶させたＲＯＭを実装した電子機器などでは、そのプログラムを改ざんさせないために、それを覆うケースやカバーなどは、一度封印したらそれらを簡単に開けられないようにしているが、このような用途に使われるのが封印ネジである。
この種の封印ネジとして、特許文献１に記載されたものが従来から知られている。この従来のネジは、当該ネジの頭部に、ドライバーの先端を挿入するネジ溝を形成している。このネジ溝は、当該ネジを締め付け方向に回すときにのみ、ドライバーがしっかりとかみ合い、ネジを緩める方向に回そうとしたときには、ドライバーが滑って回すことができない構成にしている。
【特許文献１】特開２００１−２００８２１号公報
【発明の概要】
【発明が解決しようとする課題】
【０００３】
上記のようにした従来のネジは、それを締め付けた後でも、ネジの頭部が露出したままなので、この頭部を例えばペンチなどでつかんでネジを緩める方向に回せば、当該ネジを外せることになる。もし、頭部を埋め込むようにしたとしても、ネジ溝にドライバーを強い力で押し付けたまま、当該ネジを回せばそれを外すこともできる。
また、上記ネジを必要以上に締め付けて、それをねじ切ってしまえば、封印を解除することもできる。
以上のような理由から、上記従来のネジでは、完全な封印機能を果たすことができないという問題があった。
この発明の目的は、ほぼ完璧な封印機能を発揮する封印用ネジを提供することである。
【課題を解決するための手段】
【０００４】
第１の発明は、ネジ部を有する回転部材の内周または外周に、円筒部とこの円筒部の一方の開口をふさぐ覆い部とを有する回転操作部材を設け、この回転操作部材で、上記回転部材の外周および上方を覆う構成にしている。そして、回転部材と回転操作部材との間に、上記ネジ部を締め付ける方向にはそれら回転部材と回転操作部材とを一体回転させ、上記ネジ部を緩める方向にはそれら回転部材と回転操作部材とを自由回転させる回転伝達機構を設けている。
【０００５】
第２の発明は、上記回転伝達機構が上記回転部材と回転操作部材との間に介在させたコイルスプリングから構成される。そして、このコイルスプリングの一端を上記回転部材あるいは回転操作部材のいずれか一方に止め、上記ネジ部を締め付ける方向に回転操作部材を回転させたときコイルスプリングのコイル径を縮径もしくは拡径して、コイルスプリングの内周もしくは外周を回転部材または回転操作部材に圧接させ、これら回転部材と回転操作部材とを一体回転させる。一方、上記回転操作部材を、上記ネジ部を緩める方向に回転させたとき、上記コイルスプリングの圧接力を小さくして、回転部材と回転操作部材とを相対回転させる。
【０００６】
第３の発明は、上記ネジ部を締め付け対象にネジ結合させるとともに、ネジ部を締め付ける方向に回転操作部材を回転してネジ結合の締め付け力が、予め定めた設定値に達したとき、回転部材と回転操作部材とを、上記スプリングの圧接力に抗して相対回転させる。
【０００７】
第４の発明は、上記雄ネジ部にシャフトからなる回転部材を同一軸線上に設け、この回転部材の周囲に、当該回転部材の外径よりもわずかに小さいコイル径を有するコイルスプリングを設けている。そして、このコイルスプリングを設けた回転部材を、上記回転操作部材で覆うとともに、上記コイルスプリングの一端を回転操作部材の内面に止めるようにしている。
【０００８】
第５の発明は、上記回転伝達機構が、上記回転部材の外周と上記回転操作部材の円筒部内面との間に形成した空間に回転体を介在させてなる。そして、この回転体を介在させるための空間は、上記ネジ部を締め付ける回転方向に向かって幅広部から幅狭部に変化する構成にするとともに、最大幅広部は上記回転体の直径よりも大きくし、最小幅狭部は上記回転体の直径よりも小さくしている。
【０００９】
第６の発明は、上記回転伝達機構が、上記最小幅狭部よりも、上記ネジ部の締め付け方向前方部位における回転操作部材の円筒部内周あるいは回転部材の外周のいずれか一方もしくは双方に段部を形成する構成にし、この段部を境にして上記ネジ部の締め付け方向前方部位に、回転体の直径よりも大きな空間からなる拡幅部を形成している。
【００１０】
第７の発明は、上記回転部材の外周と回転操作部材の内周とのそれぞれに抜止め用突部を設けている。そして、こられ抜止め用突部が、直接または間接的に引っ掛かり合い、回転操作部材が抜けて回転部材が露出するのを防止する構成にしている。
【発明の効果】
【００１１】
第１〜６の発明の封印ネジでは、ネジ部を締める方向に回転操作部材を回すと、回転操作部材と回転部材とが一体回転してネジ部がその締め付け方向に回って締め付け対象を封印する。
一方、ネジ部を緩める方向に回転操作部材を回すと、この回転操作部材が空回りするので、当該封印ネジを緩めることができない。
しかも、上記回転操作部材の円筒部と覆い部によってネジ部と直結している回転部材の外周を覆うので、上記回転部材をペンチなどで直接摘んでそれを回すことはできない。
したがって、当該封印ネジは、ほぼ完璧な封印機能を発揮することができる。
【００１２】
第２の発明によれば、回転伝達機構としてコイルスプリングを用いたので、その構成を簡単にでき、そのコストを大幅に軽減させることができる。
【００１３】
第３の発明によれば、ネジ結合の締め付け力が、予め定めた設定値に達したとき、回転部材と回転操作部材とが、上記スプリングの圧接力に抗して相対回転するので、当該封印ネジを必要以上に締め付けて、そのネジ部をねじ切ったりすることができない。
このように、ネジ部を緩めることもできなければ、ねじ切ったりすることもできないので、封印状態を解除できず、完璧な封印機能を発揮させることができる。
【００１４】
第５の発明によれば、ネジ部を締め付ける方向に回転操作部材を回転させるときには、回転体が幅狭部に食い込むようになるので、回転操作部材と回転部材とが一体回転して、ネジ部を強い力で締め付けることができる。しかも、ネジ部を緩める方向に回転操作部材を回転させるときには、回転体が幅広部側に移動し、回転操作部材が回転部材に対して自由回転するので、ネジ部を緩めることができない。
特に、回転体が幅狭部に食い込むので、回転操作部材の回転力が回転部材に確実に伝達されることになる。
【００１５】
第６の発明によれば、ネジ結合の締め付け力が、予め定めた設定値に達したとき、回転体が段部を乗り越えて拡幅部に移動し、回転操作部材が回転部材に対して自由回転するので、当該封印ネジを必要以上に締め付けて、そのネジ部をねじ切ったりすることができない。
【００１６】
第７の発明によれば、回転操作部材と回転部材とに抜止め用突部を設けたので、回転操作部材を抜き取って回転部材を露出させ、それを回すようなこともできない。
【図面の簡単な説明】
【００１７】
【図１】第１実施形態の断面図である。
【図２】第２実施形態の断面図である。
【図３】第３実施形態の断面図である。
【図４】第４実施形態の断面図である。
【図５】第５実施形態の断面図である。
【図６】第６実施形態の断面図である。
【図７】図６のVII-VII線断面図である。
【図８】第７実施形態の断面図である。
【発明を実施するための形態】
【００１８】
図１に示した第１実施形態は、金属製の雄ネジ部１とこの雄ネジ部１の軸線上に一体に設けた金属製の回転部材２とを備えるとともに、この回転部材２の先端すなわち雄ネジ部１とは反対端にフランジからなる抜止め用突部２ａを形成している。
そして、上記回転部材２の周囲には、この発明の回転伝達機構を構成するコイルスプリング３をはめているが、このコイルスプリング３の内径は回転部材２の外径よりも多少小さくして、コイルスプリング３に圧入代を確保している。このようにしたコイルスプリング３の上端すなわち上記抜止め用突部２ａに隣接する端部には、外径方向に突出する突出部３ａを設けている。
【００１９】
上記のようにコイルスプリング３を圧入した回転部材２は、金属製の回転操作部材４で覆うが、この回転操作部材４は、円筒部４ａとこの円筒部４ａの一方の開口をふさぐ覆い部４ｂとによって袋ナット状にしている。このようにした円筒部４ａの内壁面には軸線に平行にした掛け止溝４ｃを形成するとともに、この掛け止溝４ｃの下端を円筒部４ａの下端開口縁に開放している。そして、コイルスプリング３を圧入した回転部材２の上方から、回転操作部材４をかぶせるときには、上記掛け止溝４ｃに、コイルスプリング３の突出部３ａを挿入する。ただし、この突出部３ａは、何らかの形で回転操作部材４に固定されていればよい。
【００２０】
上記のようにして回転操作部材４を回転部材２にかぶせたら、回転操作部材４の下端における開口をリングからなる抜止め用突部５でふさぐが、この抜止め用突部５は、その外周を円筒部４ａの内側に圧入して固定するとともに、回転部材２には相対回転自在にしている。
そして、この抜止め用突部５と、上記回転部材２の抜止め用突部２ａとの間にコイルスプリング３が介在し、回転操作部材４を回転部材２から引き抜く方向の力が作用したとき、コイルスプリング３を介して両抜止め用突部２ａ、５が引っ掛かり合って、回転操作部材４を回転部材２から抜き取るのを防止する。したがって、上記のように引き抜く方向の力が作用したとしても、抜止め用突部５が回転操作部材４から抜けないようにするために十分な強度が確保できれば、抜止め用突部５は圧入で十分である。しかし、その強度を維持できないときには、例えば、抜止め用突部５と回転操作部材４とを溶接したり、あるいは抜止め用突部５と回転操作部材４とをネジではめ合わたりしてもよい。
【００２１】
なお、図中符号６はワッシャーで、雄ネジ部１と回転部材２との境界部分に形成される段部に接触させるようにしている。
【００２２】
上記のようにした封印ネジを使用するときには、雄ネジ部1を例えばケースなどの締め付け対象の雌ネジ部にはめるとともに、回転操作部材4を、上記雄ネジ部1を締め付ける方向に回す。このとき、コイルスプリング３の圧入代分の力が作用しているので、雄ネジ部１のネジ締め付け時の回転トルクが小さければ、回転操作部材4の回転力で雄ネジ部1を回すことが出来る。
【００２３】
雄ネジ部１がねじ込まれてその回転トルクが大きくなれば、回転操作部材４と、雄ネジ部１および回転部材２とがわずかではあるが相対回転する。このときにコイルスプリング３はその圧入代分の力で回転部材２側と一体回転するとともに、突出部３ａは回転操作部材４と一体回転する。これによって、コイルスプリング３が縮径して、回転部材２をその縮径力で保持し、回転操作部材４の回転力を、コイルスプリング３および回転部材２を介して雄ネジ部１に伝達する。したがって、雄ネジ部１は回転操作部材４の強い力で締め付けられることになる。
【００２４】
上記のように雄ネジ部１が回転操作部材４の回転力で締め付けられて、それがネジ終端に達し、それ以上雄ネジ部１が回転できなくなった状態で、回転操作部材４をさらに回転させようとしたときには、回転操作部材４の回転トルクが、コイルスプリング３のロックトルクに打ち勝ち、コイルスプリング３が回転部材２と相対回転し始める。この状態では、回転操作部材４をどのように強い力で回しても、それが空回転することになる。したがって、回転操作部材４を強く回しても雄ネジ部１がねじ切れたりしない。
【００２５】
上記のように回転操作部材４が空回転するためには、上記ロックトルクの大きさを設定値内に収める必要があるが、このロックトルクの大きさは、次の式で表すことができる。
ＴＬ＝（ＥＩδ／Ｒ２Ａ）×（ｅ２πμＮ−１）・・・・・・・（１）
ＴＳ＝（ＥＩδ／Ｒ２Ａ）×｛１−（１／ｅ２πμＮ）｝・・・・（２）
上記（１）式のＴＬはロックトルクであり、（２）式のＴＳはスリップトルクである。
また、上記両式の記号は、次のとおりである。
Ｅ・・・・コイルスプリングの縦弾性係数
Ｉ・・・・コイルスプリングの断面２次モーメント
δ・・・・コイルスプリングの圧入代
ＲＡ・・・・コイルスプリングが嵌合する回転部材の半径
μ・・・・コイルスプリングと回転部材との間の摩擦係数
Ｎ・・・・コイルスプリングの有効巻き数
【００２６】
したがって、回転操作部材４を締め付け方向に回転して雄ネジ部１に作用させる最大トルクは、上記ロックトルクＴＬによって決めればよいことになる。また、ネジ結合の締め付け力が、予め定めた設定値に達したとき、回転部材と回転操作部材とが、上記スプリングの圧接力に抗して相対回転するといったときの設定値は、スリップトルクＴＳによって決めることができる。
いずれにしても、上記ロックトルクおよびスリップトルクは、コイルスプリング３の特性および回転部材２の材質に応じて決まる相対的なものである。
【００２７】
また、第１実施形態において、雄ネジ部１を締める方向に回転操作部材４を回転させたとき、コイルスプリング３の内径が縮径する条件は、コイルスプリング３の巻き方向が雄ネジ部１のつる巻き線の方向と同じで、しかも、上記突出部３ａがコイルスプリング３の上端において外側に突出していることである。ただし、この第１実施形態において、コイルスプリング１の巻き方向を雄ネジ部１のつる巻き線の方向と逆にしたときには、上記突出部３ａをコイルスプリング３の下端に位置させればよい。したがって、上記突出部３ａの位置関係も相対的なものとなる。
【００２８】
上記のように回転操作部材４を回して雄ネジ部１を完全に締め付けたとき、回転操作部材４の円筒部４ａおよび覆い部４ｂで、回転部材２の外周ほぼ全域が覆われる。もし、回転部材２が露出していれば、この回転部材２の露出している部分をペンチなどの工具を使って回すことができてしまう。したがって、回転部材２の外周ほぼ全域を覆うとは、ペンチなどの工具を利用して回転部材２を直接回すことができないようにすることであって、必ずしも全域を完全に覆わなくてもよい。
【００２９】
さらに、上記回転操作部材４は、それが破壊されないようにするために、金属製であることが望ましいが、破壊されないだけの強度を維持できるなら、特に、その材質は問わない。また、雄ネジ部１および回転部材２の材質も、締め付け対象との相対的な関係において一定の強度を維持できれば、その材質は問わない。
【００３０】
図２に示した第２実施形態は、この発明の回転伝達機構を構成するコイルスプリング３を回転操作部材４の内側に、一定の圧入代をもってはめ込み、回転操作部材４を回転させたとき、当該コイルスプリング３が拡径するようにしたもので、以下にはさらに詳しく説明する。
この第２実施形態の回転部材２の外側には軸線に平行にした掛け止溝２ｂを形成するとともに、この掛け止溝２ｂの下端を回転部材２の下端に開放している。一方、コイルスプリング３は、その外径を回転操作部材４の内径よりも多少大きくして、コイルスプリング３に圧入代を確保している。このようにしたコイルスプリング３の上端すなわち上記抜止め用突部２ａに隣接する端部には、内径方向に突出する突出部３ａを設けている。
【００３１】
そして、上記回転部材２に回転操作部材４をかぶせるときには、先ず、ワッシャー６を外した状態で、コイルスプリング３に回転部材２を挿入するが、このときには上記突出部３ａを掛け止溝２ｂに挿入する。次に、コイルスプリング３の下端、すなわち突出部３ａとは反対端をペンチなどで摘んで、このコイルスプリング３を縮径する方向にまわすとともに、この縮径状態を保ったまま、回転操作部材４を回転部材２の上からかぶせる。回転操作部材４を上記のようにしてかぶせたら、コイルスプリング３の縮径力を開放する。縮径力を開放されたコイルスプリング３は、その外周を回転操作部材４の内壁面に圧接させる。つまり、コイルスプリング３は回転操作部材４に対して所定の圧入代を確保した状態で圧入された状態を保つ。
【００３２】
なお、図２中、符号１は雄ネジ部、２ａはフランジからなる抜止め用突部、４ａは円筒部、４ｂは覆い部、５はリングからなる抜止め用突部であって、それらは第１実施形態と全く同様に機能するものである。
【００３３】
上記のようにした第２実施形態の封印ネジを使用するときには、第１実施形態と同様に、回転操作部材４を、上記雄ネジ部１を締め付ける方向に回す。このとき、コイルスプリング３の圧入代分の力が作用しているので、雄ネジ部１の回転トルクが小さければ、回転操作部材４の回転力で雄ネジ部１を回すことができる。雄ネジ部１がねじ込まれてその回転トルクが大きくなれば、回転操作部材４と、雄ネジ部１および回転部材２とがわずかではあるが相対回転する。このときにコイルスプリング３はその圧入代分の力で回転操作部材４側と一体回転するとともに、突出部３ａは回転部材２と一体回転する。これによって、コイルスプリング３が拡径して、回転操作部材４をその拡径力で保持し、回転操作部材４の回転力を、コイルスプリング３および回転部材２を介して雄ネジ部１に伝達する。したがって、雄ネジ部１は回転操作部材４の強い力で締め付けられることになる。
【００３４】
上記のように雄ネジ部１が回転操作部材４の回転力で締め付けられて、それがネジ終端に達し、それ以上雄ネジ部１が回転できなくなった状態で、回転操作部材４をさらに回転させようとしたときには、回転操作部材４の回転トルクが、コイルスプリング３のロックトルクに打ち勝ち、コイルスプリング３が回転操作部材４と相対回転し始める。この状態では、回転操作部材４をどのように強い力で回しても、それが空回転することになる。
上記以外の構成および作用効果は、第１実施形態と全て同じである。また、コイルスプリング３の巻き方向や突出部３ａの位置、および各部材の材質に関しても第１実施形態で説明したことと同じである。
【００３５】
図３に示した第３実施形態における雄ネジ部１に一体に設けた回転部材２は、上方に向けて開口する凹部２ｃを形成するとともに、この凹部２ｃの内面には軸線に平行な掛け止溝２ｂを形成している。
一方、回転操作部材４は円筒部４ａおよび覆い部４ｂを形成するとともに、この円筒部４ａの内側に雄ネジ部１と軸心を同じにした円柱部４ｄを形成している。
そして、上記円柱部４ｄに、この発明の回転伝達機構を構成するコイルスプリング３を前記したと同様の圧入代を確保してはめるとともに、このコイルスプリング３の下端に外径方向に突出させた突出部３ａを設け、この突出部３ａを上記掛け止溝２ｂに挿入している。
【００３６】
なお、図３中、１は雄ネジ部、５はリングからなる抜止め用突部、６はワッシャー、７は回転部材２の下端に設けた段部からなる抜止め用突部であって、それらは第１，２実施形態と全く同様に機能するものである。
このようにした第３実施形態においては、雄ネジ部１を締める方向に回転操作部材４を回したとき、コイルスプリング３は縮径するものである。
なお、上記以外の構成および作用効果は、第１実施形態と全て同じである。また、コイルスプリング３の巻き方向や突出部３ａの位置、および各部材の材質に関しても第１実施形態で説明したことと同じである。
【００３７】
図４に示した第４実施形態における雄ネジ部１に一体に設けた回転部材２は、上方に向けて開口する凹部２ｃを形成している。
一方、回転操作部材４は円筒部４ａを形成するとともに、この円筒部４ａの内側に雄ネジ部１と軸心を同じにした円柱部４ｄを形成している。そして、上記円柱部４ｄの外側には軸線に平行な掛け止溝４ｃを形成している。
また、上記凹部２ｃには、この発明の回転伝達機構を構成するコイルスプリング３をはめるが、このコイルスプリング３には前記したと同様の圧入代を確保してその外周を凹部２ｃの内壁に圧接させるとともに、このコイルスプリング３の下端に内径方向に突出させた突出部３ａを設け、この突出部３ａを上記掛け止溝４ｃに挿入している。
【００３８】
なお、図４中、１は雄ネジ部、５はリングからなる抜止め用突部、６はワッシャー、７は回転部材２の下端に設けた段部からなる抜止め用突部であって、それらは第１，２実施形態と全く同様に機能するものである。
このようにした第４実施形態においては、雄ネジ部１を締める方向に回転操作部材４を回したとき、コイルスプリング３は拡径するものである。
なお、上記以外の構成および作用効果は、第１実施形態と全て同じである。また、コイルスプリング３の巻き方向や突出部３ａの位置、および各部材の材質に関しても第１実施形態で説明したことと同じである。
【００３９】
図５に示した第５実施形態は、雌ネジ部８と回転部材９とを一体化したものである。言い換えると、回転部材９に雌ネジ部８を形成したものである。
そして、回転部材９とコイルスプリング３および回転操作部材４との関係は、第１実施形態と全く同じである。そして、コイルスプリング３がこの発明の回転伝達機構を構成することも第１実施形態と同様である。
また、図５に示した第５実施形態は、図１に示した第１実施形態における雄ネジ部１の代わりに、これを雌ネジ部８としたものであるが、前記した第２〜４実施形態のそれぞれについても、その雄ネジ部１に代えて雌ネジ部としてもよいものである。
【００４０】
なお、図中符号３ａは突出部、４ａは円筒部、４ｂは覆い部、４ｃは掛け止溝、５はリングからなる抜止め用突部、９ａはフランジからなる抜止め用突部であって、それらは第１，２実施形態と全く同様に機能するものである。
また、上記以外の構成および作用効果は、第１実施形態と全て同じである。また、コイルスプリング３の巻き方向や突出部３ａの位置、および各部材の材質に関しても第１実施形態で説明したことと同じである。
【００４１】
図６，７に示した第６実施形態は、金属製の雄ネジ部１とこの雄ネジ部１の軸線上に一体に設けた金属製の回転部材２とを備えるとともに、この回転部材２の先端すなわち雄ネジ部１とは反対端にフランジからなる抜止め用突部２ａを形成している。
上記のようにした回転部材２は、金属製の回転操作部材４で覆うが、この回転操作部材４は、円筒部４ａとこの円筒部４ａの一方の開口をふさぐ覆い部４ｂとによって袋ナット状にしている。
【００４２】
そして、回転部材２の外周と上記回転操作部材４の円筒部４ａ内面との間に空間１０を形成するとともに、この空間１０に円柱状の回転体１１を組み入れている。そして、空間１０は、図７に示すように、上記雄ネジ部１を締め付ける回転方向（矢印方向）に向かって幅広部１０ａから徐々に幅狭部１０ｂに変化する構成にしている。そして、幅広部１０ａのうち最大の幅を保持した部分は、上記回転体１１の直径よりも大きくし、この部分に位置する回転体１１が自由回転できるようにしている。したがって、上記雄ネジ部１を緩める方向に回転操作部材４を回して、回転体１１が上記最大幅広部に位置したときには、回転操作部材４と回転部材２とが相対回転し、回転操作部材４が回転部材２に対して自由回転することになる。
【００４３】
また、上記幅狭部１０ｂのうち、最小の幅を保持した部分は、上記回転体１１の直径よりも小さくし、この部分に回転体１１がはまり込んだとき、この回転体１１の自由回転が阻止されるとともに、この回転体１１を介して、回転操作部材４の回転力が回転部材２に伝達されるようにしている。したがって、上記雄ネジ部１を締め付ける回転方向に回転操作部材４を回して、回転体１１が上記最少幅狭部に位置したときには、回転操作部材４と回転部材２とが一体回転することになる。
【００４４】
さらに、上記幅狭部４ｂの最も幅が狭い位置よりも、上記雄ネジ部１の締め付け方向前方部位における回転操作部材の円筒部内周段部１２を形成し、この段部１２を境にして上記雄ネジ部１の締め付け方向前方部位に、回転体１１の直径よりも大きな空間からなる拡幅部１３を形成している。
【００４５】
したがって、雄ネジ部１が回転操作部材４の回転力で締め付けられて、それがネジ終端に達し、それ以上雄ネジ部１が回転できなくなった状態で、回転操作部材４をさらに回転させようとしたときには、回転体１１は段部１２を乗り越えて拡幅部１３にいたる。したがって、回転体１１はこの拡幅部１３において自由回転ができることになる。拡幅部１３において回転体１１が自由回転できる状態では、回転操作部材４をどのように強い力で回しても、それが空回転することになる。したがって、回転操作部材４を強く回しても雄ネジ部１がねじ切れたりしない。
【００４６】
なお、図中符号１４はリテーナー１５に保持されたスプリングで、上記回転体１１を幅狭部１０ｂの方向に押し付けるものである。
また、符号１６は回転操作部材４の覆い部４ｂに形成した溝で、この溝１６に図示していないドライバーを差し込んで回転操作部材４を回転させるものである。特に、この溝１６は、回転操作部材４を締め付け対象の表面から埋没させるような場合に有効に機能するものである。なお、この溝１６は、上記第１〜５実施形態の覆い部４ｂに形成すれば、同様の機能を発揮できること当然である。
さらに、上記第６実施形態において、回転体１１、空間１０の幅広部１０ａおよび幅狭部１０ｂが相まって、この発明の回転伝達機構を構成するものである。
【００４７】
図８に示した第７実施形態は、上記第６実施形態の段部１２および拡幅部１３を設けていないもので、その他は第６実施形態とまったく同じである。ちなみに、符号２は回転部材、４は回転操作部材、１０は空間、１０ａは幅広部、１０ｂは幅狭部、１１は円柱状の回転体、１４はスプリング、１５はリテーナーで、このほかに抜止め用突部およびドライバーを差し込む溝を備えていること第６実施形態と同じである。
【産業上の利用可能性】
【００４８】
プログラムを記憶させたＲＯＭを実装した電子機器などの封印用として最適である。
【符号の説明】
【００４９】
１      雄ネジ部
２      回転部材
２ａ      抜止め用突部
３      コイルスプリング
４      回転操作部材
４ａ      円筒部
４ｂ      覆い部
５      抜止め用突部
７      抜止め用突部
８      雌ネジ部
９      回転部材
９ａ      抜止め用突部
１０      空間
１０ａ    幅広部
１０ｂ    幅狭部
１１      回転体
１２      段部
１３      拡幅部
【図１】
2010078145.tif 000003
【図２】
2010078145.tif 000004
【図３】
2010078145.tif 000005
【図４】
2010078145.tif 000006
【図５】
2010078145.tif 000007
【図６】
2010078145.tif 000008
【図７】
2010078145.tif 000009
【図８】
2010078145.tif 000010
【手続補正書】
【提出日】平成21年9月18日(2009.9.18)
【手続補正１】
【補正対象書類名】特許請求の範囲
【補正対象項目名】請求項１
【補正方法】変更
【補正の内容】
【請求項１】
ネジ部を有する回転部材の内周または外周に回転操作部材を設け、この回転操作部材は、円筒部とこの円筒部の一方の開口をふさぐ覆い部とからなり、この回転操作部材で、上記回転部材の外周および上記ネジ部とは反対側を覆う一方、回転部材と回転操作部材との間に、上記ネジ部を締め付ける方向にはそれら回転部材と回転操作部材とを一体回転させ、上記ネジ部を緩める方向にはそれら回転部材と回転操作部材とを相対回転させる回転伝達機構を設けた封印用ネジ。
【手続補正２】
【補正対象書類名】明細書
【補正対象項目名】０００４
【補正方法】変更
【補正の内容】
【０００４】
第１の発明は、ネジ部を有する回転部材の内周または外周に回転操作部材を設け、この回転操作部材は、円筒部とこの円筒部の一方の開口をふさぐ覆い部とからなり、この回転操作部材で、上記回転部材の外周および上記ネジ部とは反対側を覆う構成にしている。そして、回転部材と回転操作部材との間に、上記ネジ部を締め付ける方向にはそれら回転部材と回転操作部材とを一体回転させ、上記ネジ部を緩める方向にはそれら回転部材と回転操作部材とを自由回転させる回転伝達機構を設けている。
【手続補正書】
【提出日】平成21年10月9日(2009.10.9)
【手続補正１】
【補正対象書類名】特許請求の範囲
【補正対象項目名】請求項１
【補正方法】変更
【補正の内容】
【請求項１】
ネジ部を有する回転部材の内周または外周に回転操作部材を設け、この回転操作部材には、円筒部とこの円筒部の一方の開口を塞ぐ覆い部とを備え、この回転操作部材で、上記回転部材の外周および上記ネジ部とは反対側を覆う一方、回転部材と回転操作部材との間に、上記ネジ部を締め付ける方向にはそれら回転部材と回転操作部材とを一体回転させ、上記ネジ部を緩める方向にはそれら回転部材と回転操作部材とを相対回転させる回転伝達機構を設けた封印用ネジ。
【手続補正２】
【補正対象書類名】明細書
【補正対象項目名】０００４
【補正方法】変更
【補正の内容】
【０００４】
第１の発明は、ネジ部を有する回転部材の内周または外周に回転操作部材を設け、この回転操作部材には、円筒部とこの円筒部の一方の開口を塞ぐ覆い部とを備え、この回転操作部材で、上記回転部材の外周および上記ネジ部とは反対側を覆う構成にしている。そして、回転部材と回転操作部材との間に、上記ネジ部を締め付ける方向にはそれら回転部材と回転操作部材とを一体回転させ、上記ネジ部を緩める方向にはそれら回転部材と回転操作部材とを自由回転させる回転伝達機構を設けている。